(57)【要約】【課題】異なる伝送速度の光信号を共用化する場合に、既存のＯＬＴを置き換えることなく流用し、かつ、安価に構成する。【解決手段】局舎側光信号伝送装置１０１は、第１の伝送速度の光信号を受信する第１の光受信器１０４ａと、第２の伝送速度の光信号を受信する第２の光受信器１０４ｂとを備え、第１の加入者側光信号伝送装置１１１ａは、第１の波長帯を使用して、第１の伝送速度で光信号を送信する光送信器１１３ａを備え、第２の加入者側光信号伝送装置１１１ｂは、第２の波長帯を使用して、第２の伝送速度で光信号を送信する光送信器１１３ｂを備え、第１の光受信器１０４ａおよび第２の光受信器１０４ｂの前段に、第１の波長帯の光信号を第１の光受信器１０４ａに送信し、第２の波長帯の光信号を第２の光受信器１０４ｂに送信するフィルタ１０６ａ，１０６ｂを設けた。【選択図】図１
2013251586.tif 000002
【特許請求の範囲】
【請求項１】
局舎側光信号伝送装置と、前記局舎側光信号伝送装置との間で第１の伝送速度で通信を行う第１の加入者側光信号伝送装置と、前記局舎側光信号伝送装置との間で第２の伝送速度で通信を行う第２の加入者側光信号伝送装置とを備えた光伝送システムにおいて、
前記局舎側光信号伝送装置は、
前記第１の伝送速度の光信号を受信する第１の光受信器と、
前記第２の伝送速度の光信号を受信する第２の光受信器とを備え、
前記第１の加入者側光信号伝送装置は、
第１の波長帯を使用して、前記第１の伝送速度で光信号を送信する光送信器を備え、
前記第２の加入者側光信号伝送装置は、
第２の波長帯を使用して、前記第２の伝送速度で光信号を送信する光送信器を備え、
前記第１の光受信器および前記第２の光受信器の前段に、第１の波長帯の光信号を前記第１の光受信器に送信し、第２の波長帯の光信号を前記第２の光受信器に送信するフィルタを設けた
ことを特徴とする光伝送システム。
【請求項２】
前記局舎側光信号伝送装置は、既存の前記第１の光受信器を流用し、前記第２の光受信器を付け加えて構成される
ことを特徴とする請求項１記載の光伝送システム。
【請求項３】
前記フィルタは、リジェクションフィルタ、波長分割多重フィルタまたはファイバブラッググレーティングを組み合わせて構成される
ことを特徴とする請求項１記載の光伝送システム。
【請求項４】
前記フィルタは、トリプレクサモジュールにより構成される
ことを特徴とする請求項１記載の光伝送システム。
【発明の詳細な説明】
【技術分野】
【０００１】
この発明は、局舎側光信号伝送装置（ＯＬＴ：Ｏｐｔｉｃａｌ  Ｌｉｎｅ  Ｔｅｒｍｉｎａｌ）と、複数の加入者側光信号伝送装置（ＯＮＵ：Ｏｐｔｉｃａｌ  Ｎｅｔｗｏｒｋ  Ｕｎｉｔ）とを備えたＧＥ−ＰＯＮ（Ｇｉｇａｂｉｔ  Ｅｔｈｅｒｎｅｔ  Ｐａｓｓｉｖｅ  Ｏｐｔｉｃａｌ  Ｎｅｔｗｏｒｋ）システムなどの光伝送システムにおいて、ＯＬＴと各ＯＮＵとの間で異なる伝送速度の光信号を送受信可能に構成した光伝送システムに関するものである。
【背景技術】
【０００２】
従来のＧＥ−ＰＯＮシステムなどの光伝送システムにおいて、既存の伝送速度１Ｇｂｐｓ用の光伝送システムに、伝送速度１０Ｇｂｐｓ用の光伝送システムを追加導入する場合には、伝送速度１Ｇｂｐｓおよび１０Ｇｂｐｓの光信号を共用可能なＯＬＴが必要となる。
【０００３】
しかしながら、従来の光伝送システムでは、既存の伝送速度１Ｇｂｐｓ用のＯＬＴをそのまま流用して、伝送速度１Ｇｂｐｓおよび１０Ｇｂｐｓの光信号を共用化させた光伝送システムを構成することはできない。
その理由は、既存の伝送速度１Ｇｂｐｓ用のＯＬＴをそのまま流用すると、ＯＬＴに搭載されている、１Ｇｂｐｓの光信号と電気信号を変換し送受信を行う光送受信器（ＴＲｘ：Ｔｒａｎｓｃｅｉｖｅｒ）に、伝送速度１Ｇｂｐｓの光信号だけでなく伝送速度１０Ｇｂｐｓの光信号も入力されてしまうからである。
そこで、既存の伝送速度１Ｇｂｐｓ用のＯＬＴに伝送速度１０Ｇｂｐｓの光信号を入力させないように、新たにＯＬＴを適用させる必要がある。
【０００４】
これに対して、伝送速度１Ｇｂｐｓおよび１０Ｇｂｐｓの光信号を共用可能とした光伝送システムが存在している（例えば特許文献１〜３参照）。
特許文献１に開示される光伝送システムでは、伝送速度１Ｇｂｐｓおよび１０Ｇｂｐｓの光信号に対応した光スイッチおよび高価なデュアルレート光信号処理器を設けて、異なる伝送速度の光信号を共用可能としている。
また、特許文献２に開示される光伝送システムでは、伝送速度１Ｇｂｐｓおよび１０Ｇｂｐｓに対応した高価なＣＤＲ（Ｃｌｏｃｋ  Ｄａｔａ  Ｒｅｃｏｖｅｒｙ）を設けて、異なる伝送速度の光信号を共用可能としている。
また、特許文献３に開示される光伝送システムでは、伝送速度１Ｇｂｐｓおよび１０Ｇｂｐｓの光信号を時分割多重（ＴＤＭ：Ｔｉｍｅ  Ｄｉｖｉｓｉｏｎ  Ｍｕｌｔｉｐｌｅｘｉｎｇ）方式で送信している。
【先行技術文献】
【特許文献】
【０００５】
【特許文献１】特開２００９−１９４８２１号公報
【特許文献２】特開２００９−７７３２３号公報
【特許文献３】国際公開第２００７／０２６７４９号公報
【発明の概要】
【発明が解決しようとする課題】
【０００６】
上記のように、従来の光伝送システムでは、既存の伝送速度１Ｇｂｐｓ用の光伝送システムに伝送速度１０Ｇｂｐｓ用の光伝送システムを加える場合、伝送速度１Ｇｂｐｓ用のＯＬＴの光送受信器に伝送速度１Ｇｂｐｓの光信号だけでなく伝送速度１０Ｇｂｐｓの光信号も入力されてしまうため、既存の伝送速度１Ｇｂｐｓ用のＯＬＴをそのまま流用することができないという課題があった。
【０００７】
また、特許文献１に開示される光伝送システムのように、既存のＯＬＴを流用せずに伝送速度１Ｇｂｐｓおよび１０Ｇｂｐｓ用のＯＬＴを１台で構成した場合には、伝送速度１Ｇｂｐｓおよび１０Ｇｂｐｓに対応した高価なデュアルレート光信号処理器が必要であり、高コストの要因になるという課題があった。
また、特許文献２に開示される光伝送システムのように、デュアルレート光信号処理器を使用しない場合でも、伝送速度１Ｇｂｐｓおよび１０Ｇｂｐｓに対応した高価なＣＤＲが必要であり、高コストの要因になるという課題があった。
【０００８】
さらに、既存のＯＬＴを流用せずに特許文献１、２のような高コストで高度な部品を用いて、伝送速度１Ｇｂｐｓおよび１０Ｇｂｐｓの光信号を共用化させた場合であっても、上り光信号の波長が伝送速度１Ｇｂｐｓと伝送速度１０Ｇｂｐｓとでは重なる。そのため、特許文献３に開示される光伝送システムのように、ＴＤＭ方式の適用が必須であり、ＯＮＵからの上り光回線にタイムスロットを割り当てる必要がある。そのため、同じ時間帯で異なる伝送速度の上り通信を行うことができずに、上り光回線の利用効率が低いという課題があった。
【０００９】
この発明は、上記のような課題を解決するためになされたもので、異なる伝送速度の光信号を共用化する場合に、既存のＯＬＴを置き換えることなく流用することができ、かつ、安価に構成することができる光伝送システムを提供することを目的としている。
【課題を解決するための手段】
【００１０】
この発明に係る光伝送システムは、局舎側光信号伝送装置と、局舎側光信号伝送装置との間で第１の伝送速度で通信を行う第１の加入者側光信号伝送装置と、局舎側光信号伝送装置との間で第２の伝送速度で通信を行う第２の加入者側光信号伝送装置とを備え、局舎側光信号伝送装置は、第１の伝送速度の光信号を受信する第１の光受信器と、第２の伝送速度の光信号を受信する第２の光受信器とを備え、第１の加入者側光信号伝送装置は、第１の波長帯を使用して、第１の伝送速度で光信号を送信する光送信器を備え、第２の加入者側光信号伝送装置は、第２の波長帯を使用して、第２の伝送速度で光信号を送信する光送信器を備え、第１の光受信器および第２の光受信器の前段に、第１の波長帯の光信号を第１の光受信器に送信し、第２の波長帯の光信号を第２の光受信器に送信するフィルタを設けたものである。
【発明の効果】
【００１１】
この発明によれば、上記のように構成したので、異なる伝送速度の光信号を共用化する場合に、既存のＯＬＴを置き換えることなく流用することができ、かつ、安価に構成することができる。
さらに、上り通信における異なる伝送速度の光信号に対して、波長分割多重（ＷＤＭ：Ｗａｖｅｌｅｎｇｔｈ  Ｄｉｖｉｓｉｏｎ  Ｍｕｌｔｉｐｌｅｘｉｎｇ）方式を適用することが可能である。そのため、同じ時間帯で異なる伝送速度の上り通信を行うことができ、上り光回線の利用効率を向上させることができる。また、通信時間の割り当て数を削減することができる。
【図面の簡単な説明】
【００１２】
【図１】この発明の実施の形態１に係る光伝送システムの構成を示す図である。
【図２】この発明の実施の形態１に係る光伝送システムおいて使用する光信号の波長帯を示すチャート図である。
【図３】この発明の実施の形態１に係る光伝送システムおいて使用する上り光信号の波長帯を示すチャート図である。
【図４】この発明の実施の形態１に係る光伝送システムの下り通信を示すフローチャートである。
【図５】この発明の実施の形態１に係る光伝送システムの上り通信を示すフローチャートである。
【図６】従来の光伝送システムの通信を示すチャート図である。
【図７】この発明の実施の形態１に係る光伝送システムの通信を示すチャート図である。
【図８】この発明の実施の形態２に係る光伝送システムの構成を示す図である。
【図９】この発明の実施の形態３に係る光伝送システムの構成を示す図である。
【図１０】この発明の実施の形態４に係る光伝送システムの構成を示す図である。
【図１１】この発明の実施の形態５に係る光伝送システムの構成を示す図である。
【発明を実施するための形態】
【００１３】
以下、この発明の実施の形態について図面を参照しながら詳細に説明する。
実施の形態１．
図１はこの発明の実施の形態１に係る光伝送システムの構成を示す図である。
図１に示す光伝送システムは、既存の伝送速度１Ｇｂｐｓ用の光送受信器（ＴＲｘ）１０７を有する局舎側光信号伝送装置（ＯＬＴ）をそのまま流用して、伝送速度１Ｇｂｐｓおよび伝送速度１０Ｇｂｐｓの光信号を共用化した光伝送システムを構築したものである。
なお以下では、１台のＯＬＴ１０１と、ＯＬＴ１０１との間で第１の伝送速度（１０Ｇｂｐｓ）で通信を行うＯＮＵ１１１ａと、ＯＬＴ１０１との間で第２の伝送速度（１Ｇｂｐｓ）で通信を行うＯＮＵ１１１ｂとを備えた光伝送システムについて説明する。
【００１４】
光伝送システムでは、図１に示すように、局舎１００と複数の加入者建物１１０ａ，１１０ｂとが、光スプリッタ１２０を介して、複数の光信号主端末回線１３０と複数の光ファイバ１１７ａ，１１７ｂにより接続されている。
【００１５】
局舎１００には、伝送速度１０Ｇｂｐｓ用の光送受信器１０２および伝送速度１Ｇｂｐｓ用の光送受信器１０７を有するＯＬＴ１０１と、光スプリッタ１０９と、光スプリッタ１０９と光送受信器１０７との間に配置され、波長１２８０ｎｍ以下の光信号を全反射し、その他の波長の光信号を透過するリジェクションフィルタ１０６ｂとが設置されている。
【００１６】
光送受信器１０２は、ＯＮＵ１１１ａの伝送速度１０Ｇｂｐｓ用の光送受信器１１２ａとの間で光信号の送受信を行うものである。この光送受信器１０２は、伝送速度１０Ｇｂｐｓで光信号を送信する光送信器（Ｔｘ）１０３ａと、伝送速度１０Ｇｂｐｓの光信号を受信する光受信器（Ｒｘ）１０４ａと、波長１３６０ｎｍ以下の光信号をリジェクションフィルタ１０６ａ側に反射し、その他の波長の光信号を透過する波長分割多重（ＷＤＭ）フィルタ１０５ａと、波長１２８０ｎｍより大きい光信号を全反射し、その他の波長の光信号を透過するリジェクションフィルタ１０６ａとから構成されている。
【００１７】
光送受信器１０７は、ＯＮＵ１１１ｂの伝送速度１Ｇｂｐｓ用の光送受信器１１２ｂとの間で光信号の送受信を行うものである。この光送受信器１０７は、伝送速度１Ｇｂｐｓで光信号を送信する光送信器１０３ｂと、伝送速度１Ｇｂｐｓの光信号を受信する光受信器１０４ｂと、波長１３６０ｎｍ以下の光信号を光受信器１０４ｂ側に反射し、その他の波長の光信号を透過するＷＤＭフィルタ１０５ｂとから構成されている。
なお、局舎１００内の各部は、光ファイバ１０８ａ〜１０８ｈにより接続されている。
【００１８】
加入者建物１１０ａには、伝送速度１０Ｇｂｐｓ用の光送受信器１１２ａを有するＯＮＵ１１１ａと、波長１４８０〜１５００ｎｍの光信号を全反射し、その他の波長の光信号を透過するリジェクションフィルタ１１６ａとが設置されている。
【００１９】
光送受信器１１２ａは、ＯＬＴ１０１の伝送速度１０Ｇｂｐｓ用の光送受信器１０２との間で光信号の送受信を行うものである。この光送受信器１１２ａは、伝送速度１０Ｇｂｐｓで光信号を送信する光送信器１１３ａと、伝送速度１０Ｇｂｐｓの光信号を受信する光受信器１１４ａと、波長１５７５ｎｍ以上の光信号を光受信器１１４ａ側に反射し、その他の波長の光信号を透過するＷＤＭフィルタ１１５ａとから構成されている。
なお、加入者建物１１０ａ内の各部は、光ファイバ１１７ｃ，１１７ｄにより接続されている。
【００２０】
同様に、加入者建物１１０ｂには、伝送速度１Ｇｂｐｓ用の光送受信器１１２ｂを有するＯＮＵ１１１ｂと、波長１５７５〜１５８０ｎｍの光信号を全反射し、その他の波長の光信号を透過するリジェクションフィルタ１１６ｂとが設置されている。
【００２１】
光送受信器１１２ｂは、ＯＬＴ１０１の伝送速度１Ｇｂｐｓ用の光送受信器１０７との間で光信号の送受信を行うものである。この光送受信器１１２ｂは、伝送速度１Ｇｂｐｓで光信号を送信する光送信器１１３ｂと、伝送速度１Ｇｂｐｓの光信号を受信する光受信器１１４ｂと、波長１４８０ｎｍ以上の光信号を光受信器１１４ｂ側に反射し、その他の波長の光信号を透過するＷＤＭフィルタ１１５ｂとから構成されている。
なお、加入者建物１１０ｂ内の各部は、光ファイバ１１７ｅ，１１７ｆにより接続されている。
【００２２】
次に、上記のように構成された光伝送システムで使用する光信号の波長帯について説明する。
図２はこの発明の実施の形態１に係る光伝送システムで使用する光信号の波長帯を示すチャート図である。
光伝送システムにおいて下り通信（ＯＬＴ１０１からＯＮＵ１１１ａ，１１１ｂへの光信号の伝送）を行う場合には、図２に示すように、伝送速度１０Ｇｂｐｓ用の光送信器１０３ａは、波長１５７５〜１５８０ｎｍの帯域を使用して光受信器１１４ａに光信号を伝送する。また、伝送速度１Ｇｂｐｓ用の光送信器１０３ｂは、波長１４８０〜１５００ｎｍの帯域を使用して光受信器１１４ｂに光信号を伝送する。
【００２３】
同様に、上り通信（ＯＮＵ１１１ａ，１１１ｂからＯＬＴ１０１への光信号の伝送）を行う場合には、伝送速度１０Ｇｂｐｓ用の光送信器１１３ａは、波長１２６０〜１２８０ｎｍの帯域を使用して光受信器１０４ａに光信号を伝送する。また、伝送速度１Ｇｂｐｓ用の光送信器１１３ｂは、実力値として波長１２８５〜１３６０ｎｍの帯域を使用して光受信器１０４ｂに光信号を伝送する。
【００２４】
ここで、図３に示すように、上り通信での伝送速度１Ｇｂｐｓの波長帯は、規格値では１２６０〜１３６０ｎｍに設定されている。しかしながら、伝送速度１Ｇｂｐｓの波長は、分散が最も小さい波長１３１０ｎｍを中心に設定され、その実力値は波長１２８５〜１３６０ｎｍである。そのため、１０Ｇｂｐｓの波長帯（１２６０〜１２８０ｎｍ）との間でガードバンドが確保され、１Ｇｂｐｓの波長（実力値）と１０Ｇｂｐｓの波長とは重ならない。
【００２５】
次に、上記のように構成された光伝送システムの動作について説明する。まず、下り通信を行う場合について説明する。
図４はこの発明の実施の形態１に係る光伝送システムの下り通信を示すフローチャートである。なお以下では、光送信器１０３ａから伝送速度１０Ｇｂｐｓの光信号を出力し、同時に光送信器１０３ｂから伝送速度１Ｇｂｐｓの光信号を出力して、ＯＮＵ１１１ａ，１１１ｂに伝送する場合について説明する。
【００２６】
この光伝送システムの下り通信では、図４に示すように、まず、光送信器１０３ａは伝送速度１０Ｇｂｐｓで光信号を出力し、光送信器１０３ｂは伝送速度１Ｇｂｐｓで光信号を出力する（ステップＳＴ４１）。
このステップＳＴ４１において、光送信器１０３ａは、波長１５７５〜１５８０ｎｍの帯域を使用して、伝送速度１０Ｇｂｐｓで光信号を出力する。この光送信器１０３ａにより出力された光信号は、ＷＤＭフィルタ１０５ａを透過して、光スプリッタ１０９に伝送される。
同様に、光送信器１０３ｂは、波長１４８０〜１５００ｎｍの帯域を使用して、伝送速度１Ｇｂｐｓで光信号を出力する。この光送信器１０３ｂにより出力された光信号は、ＷＤＭフィルタ１０５ｂおよびリジェクションフィルタ１０６ｂを透過して、光スプリッタ１０９に伝送される。
【００２７】
次いで、光スプリッタ１０９は、伝送速度１０Ｇｂｐｓの光信号および伝送速度１Ｇｂｐｓの光信号を合波する（ステップＳＴ４２）。この光スプリッタ１０９により合波された光信号は、各光信号主端末回線１３０に４分岐され、光スプリッタ１２０に伝送される。その後、光信号は、光スプリッタ１２０により８分岐され、ＯＮＵ１１１ａ，１１１ｂに伝送される。
【００２８】
次いで、光受信器１１４ａは伝送速度１０Ｇｂｐｓの光信号を受信し、光受信器１１４ｂは伝送速度１Ｇｂｐｓの光信号を受信する（ステップＳＴ４３）。
このステップＳＴ４３において、ＯＮＵ１１１ａに伝送された光信号は、リジェクションフィルタ１１６ａにより、波長１４８０〜１５００ｎｍの伝送速度１Ｇｂｐｓの光信号は全反射され、波長１５７５〜１５８０ｎｍの伝送速度１０Ｇｂｐｓの光信号は透過する。その後、伝送速度１０Ｇｂｐｓの光信号は、ＷＤＭフィルタ１１５ａにより反射され、光受信器１１４ａまで伝送される。
同様に、ＯＮＵ１１１ｂに伝送された光信号は、リジェクションフィルタ１１６ｂにより、波長１５７５〜１５８０ｎｍの伝送速度１０Ｇｂｐｓの光信号は全反射され、波長１４８０〜１５００ｎｍの伝送速度１Ｇｂｐｓの光信号は透過する。その後、伝送速度１Ｇｂｐｓの光信号は、ＷＤＭフィルタ１１５ｂにより反射され、光受信器１１４ｂまで伝送される。
【００２９】
次に、上り通信を行う場合について説明する。
図５はこの発明の実施の形態１に係る光伝送システムの上り通信を示すフローチャートである。なお以下では、光送信器１１３ａから伝送速度１０Ｇｂｐｓの光信号を出力し、同時に光送信器１１３ｂから伝送速度１Ｇｂｐｓの光信号を出力して、ＯＬＴ１０１に伝送する場合について説明する。
【００３０】
この光伝送システムの上り通信では、図５に示すように、まず、光送信器１１３ａは伝送速度１０Ｇｂｐｓで光信号を出力し、光送信器１１３ｂは伝送速度１Ｇｂｐｓで光信号を出力する（ステップＳＴ５１）。
このステップＳＴ５１において、光送信器１１３ａは、波長１２６０〜１２８０ｎｍの帯域を使用して、伝送速度１０Ｇｂｐｓで光信号を出力する。この光送信器１１３ａにより出力された光信号は、ＷＤＭフィルタ１１５ａおよびリジェクションフィルタ１１６ａを透過して、光スプリッタ１２０に伝送される。
同様に、光送信器１１３ｂは、実力値として波長１２８５〜１３６０ｎｍの帯域を使用して、伝送速度１Ｇｂｐｓで光信号を出力する。この光送信器１１３ｂにより出力された光信号は、ＷＤＭフィルタ１１５ｂおよびリジェクションフィルタ１１６ｂを透過して、光スプリッタ１２０に伝送される。
【００３１】
次いで、光スプリッタ１２０は、伝送速度１０Ｇｂｐｓの光信号および伝送速度１Ｇｂｐｓの光信号を合波する（ステップＳＴ５２）。この光スプリッタ１２０により合波された光信号は、光信号主端末回線１３０を介して光スプリッタ１０９に伝送される。その後、光信号は、光スプリッタ１０９により２分岐され、ＯＬＴ１０１の光送受信器１０２およびリジェクションフィルタ１０６ｂに伝送される。
【００３２】
次いで、光受信器１０４ａは伝送速度１０Ｇｂｐｓの光信号を受信し、光受信器１０４ｂは伝送速度１Ｇｂｐｓの光信号を受信する（ステップＳＴ５３）。
このステップＳＴ５３において、光送受信器１０２に伝送された光信号は、ＷＤＭフィルタ１０５ａにより反射され、リジェクションフィルタ１０６ａに伝送される。その後、リジェクションフィルタ１０６ａに伝送された光信号のうち、波長１２８５ｎｍ〜１３６０ｎｍの伝送速度１Ｇｂｐｓの光信号は全反射され、波長１２６０〜１２８０ｎｍの伝送速度１０Ｇｂｐｓの光信号は透過して、光受信器１０４ａまで伝送される。
同様に、リジェクションフィルタ１０６ｂに伝送された光信号のうち、波長１２６０〜１２８０ｎｍの伝送速度１０Ｇｂｐｓの光信号は全反射され、波長１２８５〜１３６０ｎｍの伝送速度１Ｇｂｐｓの光信号は透過する。その後、伝送速度１Ｇｂｐｓの光信号は、ＷＤＭフィルタ１０５ｂにより反射され、光受信器１０４ｂまで伝送される。
【００３３】
ここで、従来の光伝送システムでは、上り通信における異なる伝送速度の波長帯域が重なるため、図６に示すように、ＴＤＭ方式で伝送を行っていた。そのため、同じ時間帯で異なる伝送速度の光信号を伝送することができず、上り光回線の利用効率が低かった。
しかしながら、この異なる伝送速度の波長帯域は、実力値では重ならないため、実施の形態１に係る光伝送システムのように、所定波長の光信号を全反射するリジェクションフィルタを設けることで、図７に示すように、ＷＤＭフィルタ方式を適用することが可能である。そのため、同じ時間帯で異なる伝送速度の光信号を伝送することができ、上り光回線の利用効率を向上させることができる。
なお図６，７では、ＯＬＴ１０１と、伝送速度１０Ｇｂｐｓ用のＯＮＵ１〜４および伝送速度１Ｇｂｐｓ用のＯＮＵ５〜８との間で、光信号（データ）の送受信を行った場合について示している。
【００３４】
以上のように、この実施の形態１によれば、異なる伝送速度（１Ｇｂｐｓ，１０Ｇｂｐｓ）に対して異なる波長帯域を割り当て、伝送速度１Ｇｂｐｓ用の光送受信器１０７の前段に、波長１２６０〜１２８０ｎｍの伝送速度１０Ｇｂｐｓの光信号を全反射するリジェクションフィルタ１０６ａを設けるように構成したので、異なる伝送速度の光信号を共用化する場合に、既存の伝送速度１Ｇｂｐｓ用のＯＬＴをそのまま流用することができる。
また、従来の光伝送システムのように、異なる伝送速度に対応する高価なデュアルレート光信号処理器や高価なＣＤＲは不要であり、光伝送システムを安価に構成することができる。
【００３５】
さらに、上り通信における異なる伝送速度に対してＷＤＭフィルタ方式を適用することが可能であるため、同じ時間帯で異なる伝送速度の通信を行うことができ、上り光回線の利用効率を向上させることができる。また、通信時間の割り当て数を削減することができる。
【００３６】
実施の形態２．
実施の形態１では、伝送速度１０Ｇｂｐｓ用の光送受信器１０２と伝送速度１Ｇｂｐｓ用の光送受信器１０７とを別に設けた場合について示したが、実施の形態２では、伝送速度１０Ｇｂｐｓ用の光送受信器と伝送速度１Ｇｂｐｓ用の光送受信器とを１台の光送受信器にまとめたものについて示す。
図８はこの発明の実施の形態２に係る光伝送システムの構成を示すブロック図である。
図８に示す実施の形態２に係る光伝送システムは、図１に示す実施の形態１における局舎１００を局舎２００に変更したものである。その他の構成は同様であり、同一の符号を付しその説明を省略する。
【００３７】
局舎２００には、伝送速度１０Ｇｂｐｓおよび１Ｇｂｐｓ用の光送受信器２０２を有するＯＬＴ２０１と、光スプリッタ２０９とが設置されている。
【００３８】
光送受信器２０２は、伝送速度１０Ｇｂｐｓ用の光送受信器１１２ａまたは伝送速度１Ｇｂｐｓ用の光送受信器１１２ｂとの間で光信号の送受信を行うものである。この光送受信器２０２は、伝送速度１０Ｇｂｐｓで光信号を送信する光送信器２０３ａと、伝送速度１Ｇｂｐｓで光信号を送信する光送信器２０３ｂと、伝送速度１０Ｇｂｐｓの光信号を受信する光受信器２０４ａと、伝送速度１Ｇｂｐｓの光信号を受信する光受信器２０４ｂと、波長１５７５ｎｍ以上の光信号をＷＤＭフィルタ２０５ｂ側に反射し、その他の波長の光信号を透過するＷＤＭフィルタ２０５ａと、波長１３６０ｎｍ以下の光信号をＷＤＭフィルタ２０５ｃ側に反射し、その他の波長の光信号を透過するＷＤＭフィルタ２０５ｂと、波長１２８０ｎｍ以下を光受信器２０４ａ側に反射し、その他の波長の光信号を透過するＷＤＭフィルタ２０５ｃとから構成されている。
なお、局舎２００内の各部は、光ファイバ２０８ａ〜２０８ｇにより接続されている。
【００３９】
また、実施の形態１と同様に、光伝送システムにおいて下り通信を行う場合には、図２に示すように、伝送速度１０Ｇｂｐｓ用の光送信器２０３ａは、波長１５７５〜１５８０ｎｍの帯域を使用して光受信器１１４ａに光信号を伝送する。また、伝送速度１Ｇｂｐｓ用の光送信器２０３ｂは、波長１４８０〜１５００ｎｍの帯域を使用して光受信器１１４ｂに光信号を伝送する。
【００４０】
次に、上記のように構成された光伝送システムの動作について説明する。
ここで、実施の形態２に係る光伝送システムの動作工程は、図４，５に示す実施の形態１に係る光伝送システムの動作工程と同様であり、図４，５を参照しながら説明を行う。
まず、下り通信を行う場合について図４を参照しながら説明する。
なお、以下では、光送信器２０３ａから伝送速度１０Ｇｂｐｓの光信号を出力し、同時に光送信器２０３ｂから伝送速度１Ｇｂｐｓの光信号を出力して、ＯＮＵ１１１ａ，１１１ｂに伝送する場合について説明する。また、実施の形態２に係るＯＮＵ１１１ａ，１１１ｂの動作は、図４に示す実施の形態１に係るＯＮＵ１１１ａ，１１１ｂの動作と同様であるため、その説明を省略する。
【００４１】
この光伝送システムの下り通信では、図４に示すように、まず、光送信器２０３ａは伝送速度１０Ｇｂｐｓで光信号を出力し、光送信器２０３ｂは伝送速度１Ｇｂｐｓで光信号を出力する（ステップＳＴ４１）。
このステップＳＴ４１において、光送信器２０３ａは、波長１５７５〜１５８０ｎｍの帯域を使用して、伝送速度１０Ｇｂｐｓで光信号を出力する。この光送信器２０３ａにより出力された光信号は、ＷＤＭフィルタ２０５ａに伝送される。
同様に、光送信器２０３ｂは、波長１４８０〜１５００ｎｍの帯域を使用して、伝送速度１Ｇｂｐｓで光信号を出力する。この光送信器２０３ｂにより出力された光信号は、ＷＤＭフィルタ２０５ａに伝送される。
【００４２】
次いで、ＷＤＭフィルタ２０５ａは、伝送速度１０Ｇｂｐｓの光信号および伝送速度１Ｇｂｐｓの光信号を合波する（ステップＳＴ４２）。ここで、ＷＤＭフィルタ２０５ａは、光送信器２０３ａからの光信号を反射し、光送信器２０３ｂからの光信号を透過することにより合波を行う。このＷＤＭフィルタ２０５ａにより合波された光信号は、ＷＤＭフィルタ２０５ｂを透過して、光スプリッタ２０９に伝送される。
その後、光スプリッタ２０９に伝送された光信号は、各光信号主端末回線１３０に４分岐され、光スプリッタ１２０に伝送される。その後、光信号は、光スプリッタ１２０により８分岐され、ＯＮＵ１１１ａ，１１１ｂに伝送される。
【００４３】
次に、上り通信を行う場合について図５を参照しながら説明する。
なお以下では、光送信器１１３ａから伝送速度１０Ｇｂｐｓの光信号を出力し、同時に光送信器１１３ｂから伝送速度１Ｇｂｐｓの光信号を出力して、ＯＬＴ２０１に伝送する場合について説明する。また、実施の形態２に係るＯＮＵ１１１ａ，１１１ｂの動作は、図５に示す実施の形態１に係るＯＮＵ１１１ａ，１１１ｂの動作と同様であるため、その説明を省略する。
【００４４】
この光伝送システムの上り通信では、図５に示すように、ステップＳＴ５２において、光スプリッタ１２０により合波された光信号は、光スプリッタ２０９を介してＷＤＭフィルタ２０５ｂに伝送される。
【００４５】
次いで、光受信器２０４ａは伝送速度１０Ｇｂｐｓの光信号を受信し、光受信器２０４ｂは伝送速度１Ｇｂｐｓの光信号を受信する（ステップＳＴ５３）。
このステップＳＴ５３において、ＷＤＭフィルタ２０５ｂに伝送された光信号は反射され、ＷＤＭフィルタ２０５ｃに伝送される。その後、ＷＤＭフィルタ２０５ｃに伝送された光信号のうち、波長１２６０〜１２８０ｎｍの伝送速度１０Ｇｂｐｓの光信号は反射され、光受信器２０４ａまで伝送される。
一方、ＷＤＭフィルタ２０５ｃに伝送された光信号のうち、波長１２８５〜１３６０ｎｍの伝送速度１Ｇｂｐｓの光信号は透過して、光受信器２０４ｂまで伝送される。
【００４６】
以上のように、この実施の形態２によれば、伝送速度１０Ｇｂｐｓ用の光送受信器（光送信器２０３ａおよび光受信器２０４ａ）と伝送速度１Ｇｂｐｓ用の光送受信器（光送信器２０３ｂおよび光受信器２０４ｂ）とを１台にまとめるように構成したので、実施の形態１における効果に加えて、光伝送システムのサイズを縮小化させることができる。
【００４７】
実施の形態３．
実施の形態３では、ＷＤＭフィルタを直線上に配置したものについて示す。
図９はこの発明の実施の形態３に係る光伝送システムの構成を示すブロック図である。
図９に示す実施の形態３に係る光伝送システムは、図１に示す実施の形態１における局舎１００を局舎３００に変更したものである。その他の構成は同様であり、同一の符号を付しその説明を省略する。
【００４８】
局舎３００には、伝送速度１０Ｇｂｐｓおよび１Ｇｂｐｓ用の光送受信器３０２を有するＯＬＴ３０１と、光スプリッタ３０９とが設置されている。
【００４９】
光送受信器３０２は、伝送速度１０Ｇｂｐｓ用の光送受信器１１２ａまたは伝送速度１Ｇｂｐｓ用の光送受信器１１２ｂとの間で光信号の送受信を行うものである。この光送受信器３０２は、伝送速度１０Ｇｂｐｓで光信号を送信する光送信器３０３ａと、伝送速度１Ｇｂｐｓで光信号を送信する光送信器３０３ｂと、伝送速度１０Ｇｂｐｓの光信号を受信する光受信器３０４ａと、伝送速度１Ｇｂｐｓの光信号を受信する光受信器３０４ｂと、波長１５７５ｎｍ未満の光信号をＷＤＭフィルタ３０５ｂ側に反射し、その他の波長の光信号を透過するＷＤＭフィルタ３０５ａと、波長１３６０ｎｍ以下の光信号を光受信器３０４ｂ側に反射し、その他の波長の光信号を透過するＷＤＭフィルタ３０５ｂと、波長１２８０ｎｍ以下の光信号を光受信器３０４ａに反射し、その他の波長の光信号を透過するＷＤＭフィルタ３０５ｃとから構成されている。
なお、局舎３００内の各部は、光ファイバ３０８ａ〜３０８ｇにより接続されている。
【００５０】
また、実施の形態１と同様に、光伝送システムにおいて下り通信を行う場合には、図２に示すように、伝送速度１０Ｇｂｐｓ用の光送信器３０３ａは、波長１５７５〜１５８０ｎｍの帯域を使用して光受信器１１４ａに光信号を伝送する。また、伝送速度１Ｇｂｐｓ用の光送信器３０３ｂは、波長１４８０〜１５００ｎｍの帯域を使用して光受信器１１４ｂに光信号を伝送する。
【００５１】
次に、上記のように構成された光伝送システムの動作について説明する。
ここで、実施の形態３に係る光伝送システムの動作工程は、図４，５に示す実施の形態１に係る光伝送システムの動作工程と同様であり、図４，５を参照しながら説明を行う。
まず、下り通信を行う場合について図４を参照しながら説明する。
なお以下では、光送信器３０３ａから伝送速度１０Ｇｂｐｓの光信号を出力し、同時に光送信器３０３ｂから伝送速度１Ｇｂｐｓの光信号を出力して、ＯＮＵ１１１ａ，１１１ｂに伝送する場合について説明する。また、実施の形態３に係るＯＮＵ１１１ａ，１１１ｂの動作は、図４に示す実施の形態１に係るＯＮＵ１１１ａ，１１１ｂの動作と同様であるため、その説明を省略する。
【００５２】
この光伝送システムの下り通信では、図４に示すように、まず、光送信器３０３ａは伝送速度１０Ｇｂｐｓで光信号を出力し、光送信器３０３ｂは伝送速度１Ｇｂｐｓで光信号を出力する（ステップＳＴ４１）。
このステップＳＴ４１において、光送信器３０３ａでは、波長１５７５〜１５８０ｎｍの帯域を使用して、伝送速度１０Ｇｂｐｓで光信号を出力する。この光送信器３０３ａにより出力された光信号は、ＷＤＭフィルタ３０５ａに伝送される。
同様に、光送信器３０３ｂでは、波長１４８０〜１５００ｎｍの帯域を使用して、伝送速度１Ｇｂｐｓで光信号を出力する。この光送信器３０３ｂにより出力された光信号は、ＷＤＭフィルタ３０５ａに伝送される。
【００５３】
次いで、ＷＤＭフィルタ３０５ａは、伝送速度１０Ｇｂｐｓの光信号および伝送速度１Ｇｂｐｓの光信号を合波する（ステップＳＴ４２）。ここで、ＷＤＭフィルタ３０５ａは、光送信器３０３ａからの光信号を透過し、光送信器３０３ｂからの光信号を反射することにより合波を行う。このＷＤＭフィルタ３０５ａにより合波された光信号は、ＷＤＭフィルタ３０５ｂ，３０５ｃを透過して、光スプリッタ３０９に伝送される。
その後、光スプリッタ３０９に伝送された光信号は、各光信号主端末回線１３０に４分岐され、光スプリッタ１２０に伝送される。その後、光信号は、光スプリッタ１２０により８分岐され、ＯＮＵ１１１ａ，１１１ｂに伝送される。
【００５４】
次に、上り通信を行う場合について図５を参照しながら説明する。
なお以下では、光送信器１１３ａから伝送速度１０Ｇｂｐｓの光信号を出力し、同時に光送信器１１３ｂから伝送速度１Ｇｂｐｓの光信号を出力して、ＯＬＴ３０１に伝送する場合について説明する。また、実施の形態３に係るＯＮＵ１１１ａ，１１１ｂの動作は、図５に示す実施の形態１に係るＯＮＵ１１１ａ，１１１ｂの動作と同様であるため、その説明を省略する。
【００５５】
この光伝送システムの上り通信では、図５に示すように、ステップＳＴ５２において、光スプリッタ１２０により合波された光信号は、光スプリッタ３０９を介してＷＤＭフィルタ３０５ｃに伝送される。
【００５６】
次いで、光受信器３０４ａは伝送速度１０Ｇｂｐｓの光信号を受信し、光受信器３０４ｂは伝送速度１Ｇｂｐｓの光信号を受信する（ステップＳＴ５３）。
このステップＳＴ５３において、ＷＤＭフィルタ３０５ｃに伝送された光信号のうち、波長１２６０〜１２８０ｎｍの伝送速度１０Ｇｂｐｓの光信号は反射され、光受信器３０４ａまで伝送される。
一方、ＷＤＭフィルタ３０５ｃに伝送された光信号のうち、波長１２８５〜１３６０ｎｍの伝送速度１Ｇｂｐｓの光信号は透過し、ＷＤＭフィルタ３０５ｂに伝送される。その後、伝送速度１Ｇｂｐｓの光信号は、ＷＤＭフィルタ３０５ｂにより反射され、光受信器３０４ｂまで伝送される。
【００５７】
以上のように、この実施の形態３によれば、ＷＤＭフィルタ３０５ａ〜３０５ｃを直線上に配置するように構成したので、実施の形態１における効果に加えて、単純な部品の組合せだけでなく、２台のＷＤＭフィルタを内蔵し３波長の分割多重通信を可能にする部品であるトリプレクサ（Ｔｒｉｐｌｅｘｅｒ）モジュールをはじめ、すでに組立てられたモジュールの適用が可能となり、部品およびモジュールの選択の幅を広げることができる。
【００５８】
実施の形態４．
実施の形態１〜３では、伝送速度１Ｇｂｐｓおよび１０Ｇｂｐｓの光信号を共用化する場合について示したが、実施の形態４では、伝送速度１０Ｇｂｐｓおよび、さらに高速な伝送速度（例えば４０Ｇｂｐｓ）の光信号を共用化する場合について示す。
図１０はこの発明の実施の形態４に係る光伝送システムの構成を示すブロック図である。
図１０に示す実施の形態４に係る光伝送システムは、図１に示す実施の形態１における局舎１００を局舎４００に変更し、加入者建物１１０ｂを加入者建物２１０ｂに変更したものである。その他の構成は同様であり、同一の符号を付しその説明を省略する。
【００５９】
局舎４００には、伝送速度１０Ｇｂｐｓおよび４０Ｇｂｐｓ用の光送受信器４０２を有するＯＬＴ４０１と、光スプリッタ４０９とが設置されている。
【００６０】
光送受信器４０２は、伝送速度１０Ｇｂｐｓ用の光送受信器１１２ａまたは伝送速度４０Ｇｂｐｓ用の光送受信器２１２ｂとの間で光信号の送受信を行うものである。この光送受信器４０２は、伝送速度１０Ｇｂｐｓで光信号を送信する光送信器４０３ａと、伝送速度４０Ｇｂｐｓで光信号を送信する光送信器４０３ｂと、伝送速度１０Ｇｂｐｓの光信号を受信する光受信器４０４ａと、伝送速度４０Ｇｂｐｓの光信号を受信する光受信器４０４ｂと、波長１５７５ｎｍ未満の光信号をＷＤＭフィルタ４０５ｂ側に反射し、その他の波長の光信号を透過するＷＤＭフィルタ４０５ａと、波長１３６０ｎｍ以下の光信号を光受信器４０４ｂ側に反射し、その他の波長の光信号を透過するＷＤＭフィルタ４０５ｂと、波長１２８０ｎｍ以下の光信号を光受信器４０４ａに反射し、その他の波長の光信号を透過するＷＤＭフィルタ４０５ｃとから構成されている。
なお、局舎４００内の各部は、光ファイバ４０８ａ〜４０８ｇにより接続されている。
【００６１】
加入者建物２１０ｂには、伝送速度４０Ｇｂｐｓ用の光送受信器２１２ｂを有するＯＮＵ２１１ｂと、波長１５７５〜１５８０ｎｍの光信号を全反射し、その他の波長の光信号を透過するリジェクションフィルタ２１６ｂとが設置されている。
【００６２】
光送受信器２１２ｂは、ＯＬＴ４０１の伝送速度４０Ｇｂｐｓ用の光送受信器（光送信器４０３ｂおよび光受信器４０４ｂ）との間で光信号の送受信を行うものである。この光送受信器２１２ｂは、伝送速度４０Ｇｂｐｓで光信号を送信する光送信器２１３ｂと、伝送速度４０Ｇｂｐｓの光信号を受信する光受信器２１４ｂと、波長１４８０ｎｍ以上の光信号を光受信器２１４ｂ側に反射し、その他の波長の光信号を透過するＷＤＭフィルタ２１５ｂとから構成されている。
なお、加入者建物２１０ｂ内の各部は、光ファイバ２１７ｅ，２１７ｆにより接続されている。
【００６３】
また、実施の形態１と同様に、光伝送システムにおいて下り通信を行う場合には、図２に示すように、伝送速度１０Ｇｂｐｓ用の光送信器４０３ａは、波長１５７５〜１５８０ｎｍの帯域を使用して光受信器１１４ａに光信号を伝送する。また、伝送速度１Ｇｂｐｓ用の光送信器４０３ｂは、波長１４８０〜１５００ｎｍの帯域を使用して光受信器２１４ｂに光信号を伝送する。
【００６４】
同様に、上り通信を行う場合には、伝送速度１０Ｇｂｐｓ用の光送信器１１３ａは、波長１２６０〜１２８０ｎｍの帯域を使用して光受信器４０４ａに光信号を伝送する。また、伝送速度４０Ｇｂｐｓ用の光送信器２１３ｂは、実施の形態１での伝送速度１Ｇｂｐｓに対する波長帯（１２８５〜１３６０ｎｍ）を使用して光受信器４０４ｂに光信号を伝送する。
【００６５】
なお、上記のように構成された光伝送システムの動作は、実施の形態３に係る光伝送システムの動作と同様であり、その説明を省略する。
【００６６】
以上のように、この実施の形態４によれば、伝送速度１０Ｇｂｐｓおよび、さらに高速な伝送速度（例えば４０Ｇｂｐｓ）の光信号を共用化する場合にも、既存の伝送速度１０Ｇｂｐｓ用のＯＬＴをそのまま流用することができる。このように、伝送速度に依存することなく、異なる伝送速度の光伝送システムを１台のＯＬＴで実現することが可能である。
【００６７】
実施の形態５．
実施の形態１では、リジェクションフィルタ１０６ａ，１０６ｂを用いて伝送速度１０Ｇｂｐｓおよび１Ｇｂｐｓの光信号を共用化する構成について示したが、実施の形態５では、リジェクションフィルタ１０６ａ，１０６ｂの代わりに、ある特定の波長を反射するファイバブラッググレーティング（ＦＢＧ）５０６ａ，５０６ｂを用いた場合について示す。
図１１はこの発明の実施の形態５に係る光伝送システムの構成を示すブロック図である。
図１１に示す実施の形態５に係る光伝送システムは、図１に示す実施の形態１における局舎１００を局舎５００に変更したものである。その他の構成は同様であり、同一の符号を付しその説明を省略する。
【００６８】
局舎５００には、伝送速度１０Ｇｂｐｓ用の光送受信器５０２および伝送速度１Ｇｂｐｓ用の光送受信器５０７を有するＯＬＴ５０１と、光スプリッタ５０９と、光スプリッタ５０９と光送受信器５０７との間に配置され、波長１２６０〜１２８０ｎｍの光信号を反射し、その他の波長の光信号を透過するＦＢＧ５０６ｂとが設置されている。
【００６９】
光送受信器５０２は、ＯＮＵ１１１ａの伝送速度１０Ｇｂｐｓ用の光送受信器１１２ａとの間で光信号の送受信を行うものである。この光送受信器５０２は、伝送速度１０Ｇｂｐｓで光信号を送信する光送信器５０３ａと、伝送速度１０Ｇｂｐｓの光信号を受信する光受信器５０４ａと、波長１３６０ｎｍ以下の光信号をＦＢＧ５０６ａ側に反射し、その他の波長の光信号を透過するＷＤＭフィルタ５０５ａと、波長１２８０ｎｍより大きい光信号を反射し、その他の波長の光信号を透過するＦＢＧ５０６ａとから構成されている。
【００７０】
光送受信器５０７は、ＯＮＵ１１１ｂの伝送速度１Ｇｂｐｓ用の光送受信器１１２ｂとの間で光信号の送受信を行うものである。この光送受信器５０７は、伝送速度１Ｇｂｐｓで光信号を送信する光送信器５０３ｂと、伝送速度１Ｇｂｐｓの光信号を受信する光受信器５０４ｂと、波長１３６０ｎｍ以下の光信号を光受信器５０４ｂ側に反射し、その他の波長の光信号を透過するＷＤＭフィルタ５０５ｂとから構成されている。
なお、局舎５００内の各部は、光ファイバ５０８ａ〜５０８ｈにより接続されている。
【００７１】
また、実施の形態１と同様に、光伝送システムにおいて下り通信を行う場合には、図２に示すように、伝送速度１０Ｇｂｐｓ用の光送信器５０３ａは、波長１５７５〜１５８０ｎｍの帯域を使用して光受信器１１４ａに光信号を伝送する。また、伝送速度１Ｇｂｐｓ用の光送信器５０３ｂは、波長１４８０〜１５００ｎｍの帯域を使用して光受信器１１４ｂに光信号を伝送する。
【００７２】
次に、上記のように構成された光伝送システムの動作について説明する。
ここで、実施の形態５に係る光伝送システムの動作工程は、図４，５に示す実施の形態１に係る光伝送システムの動作工程と同様であり、図４，５を参照しながら説明を行う。
まず、下り通信を行う場合について図４を参照しながら説明する。
なお以下では、光送信器５０３ａから伝送速度１０Ｇｂｐｓの光信号を出力し、同時に光送信器５０３ｂから伝送速度１Ｇｂｐｓの光信号を出力して、ＯＮＵ１１１ａ，１１１ｂに伝送する場合について説明する。また、実施の形態５に係るＯＮＵ１１１ａ，１１１ｂの動作は、図４に示す実施の形態１に係るＯＮＵ１１１ａ，１１１ｂの動作と同様であるため、その説明を省略する。
【００７３】
この光伝送システムの下り通信では、図４に示すように、まず、光送信器５０３ａは伝送速度１０Ｇｂｐｓで光信号を出力し、光送信器５０３ｂは伝送速度１Ｇｂｐｓで光信号を出力する（ステップＳＴ４１）。
このステップＳＴ４１において、光送信器５０３ａは、波長１５７５〜１５８０ｎｍの帯域を使用して、伝送速度１０Ｇｂｐｓで光信号を出力する。この光送信器５０３ａにより出力された光信号は、ＷＤＭフィルタ５０５ａを透過して、光スプリッタ５０９に伝送される。
同様に、光送信器５０３ｂは、波長１４８０〜１５００ｎｍの帯域を使用して、伝送速度１Ｇｂｐｓで光信号を出力する。この光送信器５０３ｂにより出力された光信号は、ＷＤＭフィルタ５０５ｂおよびＦＢＧ５０６ｂを透過して、光スプリッタ５０９に伝送される。
【００７４】
次いで、光スプリッタ５０９は、伝送速度１０Ｇｂｐｓの光信号および伝送速度１Ｇｂｐｓの光信号を合波する（ステップＳＴ４２）。この光スプリッタ５０９により合波された光信号は、各光信号主端末回線１３０に４分岐され、光スプリッタ１２０に伝送される。その後、光信号は、光スプリッタ１２０により８分岐され、ＯＮＵ１１１ａ，１１１ｂに伝送される。
【００７５】
次に、上り通信を行う場合について図５を参照しながら説明する。
なお以下では、光送信器１１３ａから伝送速度１０Ｇｂｐｓの光信号を出力し、同時に光送信器１１３ｂから伝送速度１Ｇｂｐｓの光信号を出力して、ＯＬＴ５０１に伝送する場合について説明する。また、実施の形態５に係るＯＮＵ１１１ａ，１１１ｂの動作は、図５に示す実施の形態１に係るＯＮＵ１１１ａ，１１１ｂの動作と同様であるため、その説明を省略する。
【００７６】
この光伝送システムの上り通信では、図５に示すように、ステップＳＴ５２において、光スプリッタ１２０により合波された光信号は、光スプリッタ５０９により２分岐され、ＯＬＴ５０１の光送受信器５０２およびＦＢＧ５０６ｂに伝送される。
【００７７】
次いで、光受信器５０４ａは伝送速度１０Ｇｂｐｓの光信号を受信し、光受信器５０４ｂは伝送速度１Ｇｂｐｓの光信号を受信する（ステップＳＴ５３）。
このステップＳＴ５３において、光送受信器５０２に伝送された光信号は、ＷＤＭフィルタ５０５ａにより反射され、ＦＢＧ５０６ａに伝送される。その後、ＦＢＧ５０６ａに伝送された光信号のうち、波長１２８５ｎｍ〜１３６０ｎｍの伝送速度１Ｇｂｐｓの光信号は反射され、波長１２６０〜１２８０ｎｍの伝送速度１０Ｇｂｐｓの光信号は透過し、光受信器５０４ａまで伝送される。
同様に、ＦＢＧ５０６ｂに伝送された光信号のうち、波長１２６０〜１２８０ｎｍの伝送速度１０Ｇｂｐｓの光信号は反射され、波長１２８５〜１３６０ｎｍの伝送速度１Ｇｂｐｓの光信号は透過する。その後、伝送速度１Ｇｂｐｓの光信号は、ＷＤＭフィルタ５０５ｂにより反射され、光受信器５０４ｂまで伝送される。
【００７８】
以上のように、この実施の形態５によれば、リジェクションフィルタ１０６ａ，１０６ｂの代わりにＦＢＧ５０６ａ，５０６ｂを用いるように構成したので、実施の形態１における効果に加えて、フィルタを使用せずにファイバを適用できるため、簡易に光伝送システムを構成することができる。
【００７９】
なお、実施の形態１〜５では、光伝送システムとして、ＯＬＴおよび複数のＯＮＵを備えたＰＯＮシステムを用いて説明を行ったが、これに限るものではなく、一般的な光伝送システムに対して適用可能であり、多重波長通信技術に利用可能である。
また、本願発明の範囲内において、実施の形態を適宜組合せ、変更、省略などすることが可能である。
【符号の説明】
【００８０】
１００〜５００  局舎、１０１〜５０１  局舎側光信号伝送装置（ＯＬＴ）、１０２〜５０２，１０７，５０７  光送受信器、１０３ａ〜５０３ａ，１０３ｂ〜５０３ｂ  光送信器、１０４ａ〜５０４ａ，１０４ｂ〜５０４ｂ  光受信器、１０５ａ〜５０５ａ，１０５ｂ〜５０５ｂ，２０５ｃ〜４０５ｃ  波長分割多重（ＷＤＭ）フィルタ、１０６ａ，１０６ｂ  リジェクションフィルタ、１０８〜５０８  光ファイバ、１０９〜５０９  光スプリッタ、５０６ａ，５０６ｂ  ファイバブラッググレーティング（ＦＢＧ）、１１０ａ，１１０ｂ，２１０ｂ  加入者建物、１１１ａ，１１１ｂ，２１１ｂ  加入者側光信号伝送装置（ＯＮＵ）、１１２ａ，１１２ｂ，２１２ｂ  光送受信器、１１３ａ，１１３ｂ，２１３ｂ  光送信器、１１４ａ，１１４ｂ，２１４ｂ  光受信器、１１５ａ，１１５ｂ，２１５ｂ  波長分割多重（ＷＤＭ）フィルタ、１１６ａ，１１６ｂ，２１６ｂ  リジェクションフィルタ、１１７ａ〜１１７ｆ，２１７ｂ，２１７ｅ，２１７ｆ  光ファイバ、１２０  光スプリッタ、１３０  光信号主端末回線。
【図１】
2013251586.tif 000003
【図２】
2013251586.tif 000004
【図３】
2013251586.tif 000005
【図４】
2013251586.tif 000006
【図５】
2013251586.tif 000007
【図６】
2013251586.tif 000008
【図７】
2013251586.tif 000009
【図８】
2013251586.tif 000010
【図９】
2013251586.tif 000011
【図１０】
2013251586.tif 000012
【図１１】
2013251586.tif 000013